(57)【要約】【課題】無線通信装置と無線通信端末との無線接続の確立を容易かつより安全に実現する。【解決手段】無線通信装置は、仮接続用ＳＳＩＤから所定の規則に従って仮接続用パスコードを生成し、仮接続用ＳＳＩＤを無線で送信し、仮接続用ＳＳＩＤおよび仮接続用パスコードを用いて無線通信端末との間で確立された仮接続において、無線通信端末に本接続用ＳＳＩＤおよび本接続用パスコードを送信する。無線通信端末は、無線通信装置から仮接続用ＳＳＩＤを取得し、仮接続用ＳＳＩＤから所定の規則に従って仮接続用パスコードを生成し、仮接続用ＳＳＩＤおよび生成した仮接続用パスコードを用いて無線通信装置と仮接続を行い、仮接続において、無線通信装置から本接続用ＳＳＩＤおよび本接続用パスコードを取得し、本接続用ＳＳＩＤおよび本接続用パスコードを用いて無線通信装置と本接続を行う。【選択図】図１
2014175892.tif 000002
【特許請求の範囲】
【請求項１】
無線通信のアクセスポイント機能を有する無線通信装置と無線通信端末とを備え、前記無線通信装置と前記無線通信端末とを無線接続する無線通信システムであって、
前記無線通信装置は、
仮接続用ＳＳＩＤから所定の規則に従って仮接続用パスコードを生成する仮接続用情報生成手段と、
前記仮接続用ＳＳＩＤを無線で送信する仮接続用ＳＳＩＤ送信手段と、
前記仮接続用ＳＳＩＤおよび前記仮接続用パスコードを用いて前記無線通信端末との間で確立された仮接続において、前記無線通信端末に本接続用ＳＳＩＤおよび本接続用パスコードを送信する本接続用情報送信手段と、
を有し、
前記無線通信端末は、
前記無線通信装置から前記仮接続用ＳＳＩＤを取得する仮接続用ＳＳＩＤ取得手段と、
前記仮接続用ＳＳＩＤから前記所定の規則に従って前記仮接続用パスコードを生成し、前記仮接続用ＳＳＩＤおよび生成した前記仮接続用パスコードを用いて前記無線通信装置と前記仮接続を行う仮接続手段と、
前記仮接続において、前記無線通信装置から前記本接続用ＳＳＩＤおよび前記本接続用パスコードを取得する本接続用情報取得手段と、
前記本接続用ＳＳＩＤおよび前記本接続用パスコードを用いて前記無線通信装置と本接続を行う本接続手段と、
を有する、
無線通信システム。
【請求項２】
前記仮接続用ＳＳＩＤ送信手段は、前記無線通信装置に対してなされた前記無線通信端末との接続指示操作に応じて前記仮接続用ＳＳＩＤの送信を開始した後、１台の前記無線通信端末と前記仮接続が確立すると、前記仮接続用ＳＳＩＤの送信を終了する、
請求項１に記載の無線通信システム。
【請求項３】
前記仮接続用ＳＳＩＤ送信手段は、前記接続指示操作に応じて前記仮接続用ＳＳＩＤの送信を開始してから、予め決められた所定時間が経過した後に、前記仮接続用ＳＳＩＤの送信を終了する、
請求項２に記載の無線通信システム。
【請求項４】
前記仮接続用ＳＳＩＤ取得手段は、前記無線通信端末にインストールされた前記無線通信装置を利用するための特定のアプリケーションプログラムが起動されると、自動的に前記仮接続用ＳＳＩＤを取得する、
請求項１〜請求項３のいずれかに記載の無線通信システム。
【請求項５】
無線通信装置から無線で送信された仮接続用ＳＳＩＤを取得する仮接続用ＳＳＩＤ取得手段と、
前記無線通信装置との間で共通化されている所定の規則に従って前記仮接続用ＳＳＩＤから仮接続用パスコードを生成し、前記仮接続用ＳＳＩＤおよび生成した前記仮接続用パスコードを用いて前記無線通信装置と仮接続を行う仮接続手段と、
前記仮接続において、前記無線通信装置から本接続用ＳＳＩＤおよび本接続用パスコードを取得する本接続用情報取得手段と、
前記本接続用ＳＳＩＤおよび前記本接続用パスコードを用いて前記無線通信装置と本接続を行う本接続手段と、
を備える無線通信端末。
【請求項６】
無線通信端末との間で共通化されている所定の規則に従って仮接続用ＳＳＩＤから仮接続用パスコードを生成する仮接続用情報生成手段と、
前記仮接続用ＳＳＩＤを無線で送信する仮接続用ＳＳＩＤ送信手段と、
前記仮接続用ＳＳＩＤおよび前記仮接続用パスコードを用いて前記無線通信端末との間で確立された仮接続において、前記無線通信端末に本接続用ＳＳＩＤおよび本接続用パスコードを送信する本接続用情報送信手段と、
を備える無線通信装置。
【請求項７】
無線通信のアクセスポイント機能を有する無線通信装置と無線通信端末とを無線接続する無線通信方法において、
前記無線通信装置が、仮接続用ＳＳＩＤから所定の規則に従って仮接続用パスコードを生成し、
前記無線通信装置が、前記仮接続用ＳＳＩＤを無線で送信し、
前記無線通信端末が、前記無線通信装置から前記仮接続用ＳＳＩＤを取得し、
前記無線通信端末が、前記仮接続用ＳＳＩＤから前記所定の規則に従って前記仮接続用パスコードを生成し、前記仮接続用ＳＳＩＤおよび生成した前記仮接続用パスコードを用いて前記無線通信装置と仮接続を行い、
前記無線通信装置が、前記仮接続用ＳＳＩＤおよび前記仮接続用パスコードを用いて前記無線通信端末との間で確立された前記仮接続において、前記無線通信端末に本接続用ＳＳＩＤおよび本接続用パスコードを送信し、
前記無線通信端末が、前記仮接続において、前記無線通信装置から前記本接続用ＳＳＩＤおよび前記本接続用パスコードを取得し、
前記無線通信端末が、前記本接続用ＳＳＩＤおよび前記本接続用パスコードを用いて前記無線通信装置と本接続を行う、
ことを含む無線通信方法。
【請求項８】
無線通信装置から無線で送信された仮接続用ＳＳＩＤを取得する仮接続用ＳＳＩＤ取得機能と、
前記無線通信装置との間で共通化されている所定の規則に従って前記仮接続用ＳＳＩＤから仮接続用パスコードを生成し、前記仮接続用ＳＳＩＤおよび生成した前記仮接続用パスコードを用いて前記無線通信装置と仮接続を行う仮接続機能と、
前記仮接続において、前記無線通信装置から本接続用ＳＳＩＤおよび本接続用パスコードを取得する本接続用情報取得機能と、
前記本接続用ＳＳＩＤおよび前記本接続用パスコードを用いて前記無線通信装置と本接続を行う本接続機能と、
を無線通信端末に実現させる無線通信端末制御プログラム。
【発明の詳細な説明】
【技術分野】
【０００１】
本発明は、無線通信システム、無線通信端末、無線通信装置、無線通信方法、無線通信端末制御プログラムに関し、特に無線通信装置と無線通信端末との無線接続の確立手法に関する。
【背景技術】
【０００２】
従来、無線通信機能を備えた機器同士の無線接続確立のためのユーザーの設定作業を簡便にする手法が種々提案されている。例えば特許文献１には、印刷装置と中継器とのインフラストラクチャーモードの無線接続を確立する際に、印刷装置が仮接続で用いる設定情報（仮接続用のＳＳＩＤ（Service Set Identifier）とパスコード）を含むビーコンを送信し、当該ビーコンを受信した中継器が当該設定情報に基づいて印刷装置との間で仮接続を確立し、仮接続においてインフラストラクチャーモードでの接続に用いる設定情報（本接続用のＳＳＩＤとパスコード）を印刷装置に通知することによって、印刷装置と中継器とのインフラストラクチャーモードにおける接続を確立することが記載されている。このようにすることで、ユーザーは例えば印刷装置に本接続用のパスコードを手動で入力する等の必要がないため、設定作業に不慣れなユーザーも簡単に二つの機器間の無線接続を確立させることができる。
【先行技術文献】
【特許文献】
【０００３】
【特許文献１】特開２００５−１９８１５４号公報
【発明の概要】
【発明が解決しようとする課題】
【０００４】
しかし、特許文献１の手法では、仮接続用の設定情報（仮接続用のＳＳＩＤとパスコード）がビーコンに含まれる（仮接続時は本接続時より強度の弱い電波が用いられると記載されてはいるものの）ため、セキュリティ上問題となる可能性がある。例えば、第三者が当該ビーコンを受信して中継器との間で仮接続のやり取りを進めることによって、本接続用の設定情報を第三者が取得してしまう可能性がある。
本発明は、無線通信装置と無線通信端末との無線接続の確立を容易かつより安全に実現することを目的とする。
【課題を解決するための手段】
【０００５】
上記目的を達成するための無線通信システムは、無線通信のアクセスポイント機能を有する無線通信装置と無線通信端末とを備え、無線通信装置と無線通信端末とを無線接続する。無線通信装置は、仮接続用情報生成手段と、仮接続用ＳＳＩＤ送信手段と、本接続用情報送信手段と、を有する。仮接続用情報生成手段は、仮接続用ＳＳＩＤから所定の規則に従って仮接続用パスコードを生成する。仮接続用ＳＳＩＤ送信手段は、仮接続用ＳＳＩＤを無線で送信する。本接続用情報送信手段は、仮接続用ＳＳＩＤと仮接続用パスコードを用いて無線通信端末との間で確立された仮接続において、無線通信端末に本接続用ＳＳＩＤおよび本接続用パスコードを送信する。無線通信端末は、仮接続用ＳＳＩＤ取得手段と、仮接続手段と、本接続用情報取得手段と、本接続手段と、を有する。仮接続用ＳＳＩＤ取得手段は、無線通信装置から仮接続用ＳＳＩＤを取得する。仮接続手段は、無線通信装置との間で共通化されている所定の規則に従って仮接続用ＳＳＩＤから仮接続用パスコードを生成し、仮接続用ＳＳＩＤおよび生成した仮接続用パスコードを用いて無線通信装置と仮接続を行う。本接続用情報取得手段は、仮接続において、無線通信装置から本接続用ＳＳＩＤおよび本接続用パスコードを取得する。本接続手段は、本接続用ＳＳＩＤおよび本接続用パスコードを用いて無線通信装置と本接続を行う。
【０００６】
本発明の無線通信システムでは、無線通信端末と無線通信装置との無線接続を確立する際にユーザーがパスコードを手動で入力する等の複雑な設定作業が必要でないため、ユーザーは容易に無線通信端末と無線通信装置との無線接続を確立させることができ、無線通信端末から無線通信によって無線通信装置を利用することができる。また、本構成の場合、無線通信装置は、仮接続の前に仮接続用ＳＳＩＤを送信するが仮接続用パスコードは送信せず、無線通信端末は無線通信装置との間で共通化されている所定の規則に従って仮接続用パスコードを自ら生成し、生成した仮接続用パスコードと無線通信装置から取得した仮接続用ＳＳＩＤとを用いて仮接続を行う。そのため、上述の所定の規則を把握していない他の無線通信端末は仮接続用パスコードを取得できないため、無線通信装置と仮接続することができない。また、当該他の無線通信端末は無線通信装置と仮接続することができないことにより、本接続用ＳＳＩＤおよび本接続用パスコードも取得できないため、無線通信装置と本接続することもできない。したがって、当該他の無線通信端末は無線通信装置と本接続を確立することができないので、正規のユーザー以外からの意図しない無線通信装置の利用を防止することができる。
【０００７】
さらに、上記目的を達成するための無線通信システムにおいて、仮接続用ＳＳＩＤ送信手段は、無線通信装置に対してなされた無線通信端末との接続指示操作に応じて仮接続用ＳＳＩＤの送信を開始した後、１台の無線通信端末と仮接続が確立すると、仮接続用ＳＳＩＤの送信を終了する。
この場合、いずれかの無線通信端末と仮接続が確立した後も仮接続用ＳＳＩＤが送信され続けることがないため、正規のユーザー以外からの意図しない無線通信装置の利用の可能性を低減することができる。
【０００８】
さらに、上記目的を達成するための無線通信システムにおいて、接続指示操作に応じて仮接続用ＳＳＩＤの送信を開始してから、予め決められた所定時間が経過した後に、仮接続用ＳＳＩＤの送信を終了する。
この場合、長期間にわたって仮接続用ＳＳＩＤが送信され続けることがないため、正規のユーザー以外からの意図しない無線通信装置の利用の可能性を低減することができる。
【０００９】
さらに、上記目的を達成するための無線通信システムにおいて、仮接続用ＳＳＩＤ取得手段は、無線通信端末にインストールされた無線通信装置を利用するための特定のアプリケーションプログラムが起動されると、自動的に仮接続用ＳＳＩＤを取得する。
この構成の場合、ユーザーが無線通信端末において当該アプリケーションプログラムを起動すると、上述の仮接続を経て無線通信装置と無線通信端末との本接続の確立までを自動的に実施することができる。
【００１０】
さらに、以上のように仮接続用パスコードを無線で送信せずに仮接続用ＳＳＩＤから生成させて仮接続を確立し、仮接続において本接続用ＳＳＩＤおよび本接続用パスコードを送信して、無線通信端末と無線通信装置との本接続を確立する手法は、無線通信装置、無線通信端末、無線通信方法、無線通信端末制御プログラムの発明としても成立する。また、以上のようなシステム、装置、プログラム、方法は、単独の装置として実現される場合もあれば、複合的な機能を有する装置において共有の部品を利用して実現される場合もあり、各種の態様を含むものである。
【図面の簡単な説明】
【００１１】
【図１】本発明の実施形態にかかる無線通信システムを示すブロック図。
【図２】本発明の実施形態にかかる印刷装置の状態遷移図。
【図３】本発明の実施形態にかかる無線接続確立のシーケンス図。
【発明を実施するための形態】
【００１２】
以下、本発明の実施の形態を添付図面を参照しながら順に説明する。尚、各図において対応する構成要素には同一の符号が付され、重複する説明は省略される。
【００１３】
１．第一実施形態
１−１．構成
図１は、本発明の実施形態にかかる無線通信システム１の構成を示すブロック図である。無線通信システム１は、無線通信装置としての印刷装置１０と無線通信端末２０とを備える。無線通信端末２０としては例えばスマートフォンやタブレット型端末等が想定される。
【００１４】
印刷装置１０は、メインコントローラー１１と通信部１２と印刷エンジン１３とユーザーＩ／Ｆ部１４とを備えている。メインコントローラー１１は、ＣＰＵや不揮発性メモリやＲＡＭやＡＳＩＣ等からなり、不揮発性メモリに記録された各種のプログラムをＣＰＵが実行することによって印刷装置の全体を制御することができる。具体的にはメインコントローラー１１は、通信部１２を制御して、有線ＬＡＮ通信や、Ｗｉ−Ｆｉ、Ｗｉ−Ｆｉ  Ｄｉｒｅｃｔに準拠した無線通信を行う。通信部１２は、有線ＬＡＮ通信機能や、自らを無線ＬＡＮ子機として他のアクセスポイントと無線通信する機能や、Ｗｉ−Ｆｉ  Ｄｉｒｅｃｔ通信機能を実現するための有線モジュールおよび無線モジュールを備えており、受信した信号をプロトコルに従って変換して内部バスに送出し、内部バスから取り込んだ信号をプロトコルに従って変換して送出する。本実施形態において通信部１２は、「仮接続用情報生成手段」、「仮接続用ＳＳＩＤ送信手段」、「本接続用情報送信手段」として機能する。
【００１５】
またメインコントローラー１１は、印刷データを取得すると、取得した印刷データに基づいて、印刷エンジン１３を制御して印刷を実行する。印刷エンジン１３は、インクジェット方式、電子写真方式など周知の印刷方式で写真紙・普通紙・ＯＨＰシートなどの印刷媒体に印刷を実行するためのアクチュエーターやセンサーや駆動回路や機械部品を備えている。ユーザーＩ／Ｆ部１４はタッチパネルディスプレイや操作キー等を備えている。タッチパネルディスプレイは、ユーザーに各種情報を案内するとともにユーザーの各種指示を入力する。
【００１６】
無線通信端末２０は、コントローラー２８、音声を発生させるスピーカー２１、音声を集音するマイク２２、キー入力部２３、通信部２５、カメラ２６、タッチパネル２７等を備えている。コントローラー２８は、ＣＰＵ，ＲＡＭ，ＲＯＭ，不揮発性メモリ等からなり、ＲＯＭや不揮発性メモリに記録された各種のプログラムをＣＰＵが実行することができる。各種プログラムには、印刷装置１０を無線通信によって利用するためのアプリケーションプログラム等が含まれている。当該アプリケーションプログラムは、印刷装置１０のベンダーから提供されたプログラムであり、予め無線通信端末２０にインストールされている。通信部２５は、３Ｇ等の携帯電話回線網を利用した通信や、Ｗｉ−Ｆｉ、Ｗｉ−Ｆｉ  Ｄｉｒｅｃｔ等の無線ＬＡＮに準拠した通信を行うためのインターフェースを備えている。本実施形態においては、上述のアプリケーションプログラムを実行するコントローラー２８と、当該コントローラー２８によって制御される通信部２５とは、「仮接続用ＳＳＩＤ取得手段」、「仮接続手段」、「本接続用情報取得手段」、「本接続手段」として機能する。カメラ２６は、レンズやエリアイメージセンサーや画像処理回路を備え、被写体を撮影しデジタル画像データを生成する。
【００１７】
本実施形態における印刷装置１０は、有線ＬＡＮ通信機能や、自らを無線ＬＡＮ子機として他のアクセスポイントに無線接続する機能や、Ｗｉ−Ｆｉ  Ｄｉｒｅｃｔ通信機能を有しており、通信モードに関して図２に示す４つの状態を有している。なお本実施形態における印刷装置１０は、Ｗｉ−Ｆｉ  Ｄｉｒｅｃｔ通信機能に関して、後述するシンプルＡＰ（Access Point）モードとＰ２Ｐ（Peer to Peer）で通信するモードの２つのモードを有している。
状態Ａは、他の機器と接続していない状態、または、有線ＬＡＮで他の機器と通信する状態である。状態ＡからユーザーがユーザーＩ／Ｆ部１４を操作してＷｉ−Ｆｉ  Ｄｉｒｅｃｔ通信機能をＯＮにすると、状態Ｂに遷移する。状態Ｂは、有線ＬＡＮでの通信を有効としたまま、また別の機器とＷｉ−Ｆｉ  ＤｉｒｅｃｔのシンプルＡＰモードでの通信を有効とする状態である。シンプルＡＰモードは、印刷装置１０が簡易的にアクセスポイントの機能を果たし、印刷装置１０と最大４台の無線通信端末とが無線通信することができるモードである。ユーザーＩ／Ｆ部１４を介してユーザーがＷｉ−Ｆｉ  Ｄｉｒｅｃｔ通信機能をＯＦＦにすると、状態Ａに戻る。
【００１８】
状態ＡからユーザーＩ／Ｆ部１４を介してユーザーが無線ＬＡＮ機能をＯＮにする操作を行うと状態Ｃに遷移する。状態Ｃは、有線ＬＡＮ機能が無効となるかわりに印刷装置１０が無線ＬＡＮ子機として機能する（インフラストラクチャーモード）状態である。状態ＣからユーザーがユーザーＩ／Ｆ部１４を介して無線ＬＡＮ機能をＯＦＦにすると、状態Ａに戻る。状態ＣからＷｉ−Ｆｉ  Ｄｉｒｅｃｔ通信機能をＯＮにする操作をユーザーがユーザーＩ／Ｆ部１４を用いて行うと、状態Ｄに遷移する。状態Ｄは、印刷装置１０と１台の無線通信端末２０がＰ２Ｐで無線通信を行う状態である。状態ＤにおいてＰ２Ｐでの無線接続が終了すると自動的に状態Ｃに戻る。
【００１９】
１−２．無線接続確立シーケンス
図３は、印刷装置１０と無線通信端末２０との間でＷｉ−Ｆｉ  Ｄｉｒｅｃｔによる無線接続を確立する流れを示すシーケンス図である。本実施形態では、状態Ａから状態Ｂに遷移する際のシーケンスについて説明する。はじめに、ユーザーが印刷装置１０のユーザーＩ／Ｆ部１４を用いてＷｉ−Ｆｉ  Ｄｉｒｅｃｔ通信機能をＯＮにする操作（接続指示操作）を行うと、メインコントローラー１１は当該操作を受け付け（ステップＳ１００）、Ｗｉ−Ｆｉ  Ｄｉｒｅｃｔ通信の実行可否を通信部１２の無線モジュールに問い合わせる（ステップＳ１０５）。無線モジュールにおいて実行可である場合に無線モジュールは実行可を示す情報をメインコントローラー１１に通知する（ステップＳ１１０）。実行可を示す情報が通知されると、メインコントローラー１１は、ユーザーＩ／Ｆ部１４において、設定更新中を示す表示を行う（ステップＳ１１５）。また、ユーザーは、無線通信端末２０において、印刷装置１０を利用するためのアプリケーションプログラムを起動する（ステップＳ１０２）。このアプリケーションプログラムをコントローラー２８が実行することにより、後述するステップＳ１５０〜Ｓ１８５のシーケンスのうちの無線通信端末２０側の処理を実行することができる。当該アプリケーションプログラムの起動は後述するステップＳ１５０の直後であってもよい。
【００２０】
続いて、メインコントローラー１１は、Ｗｉ−Ｆｉ  Ｄｉｒｅｃｔの開始を無線モジュールに通知し（ステップＳ１２０）、無線モジュールは当該通知を受け取ると、Ｗｉ−Ｆｉ  Ｄｉｒｅｃｔの開始成功をメインコントローラー１１に通知し（ステップＳ１２５）、無線モジュールはシンプルＡＰモードをＯＮに切り替える準備をはじめる（ステップＳ１３０）。具体的には例えば無線モジュールは、後述する仮接続用ＳＳＩＤと仮接続用パスコード、および、本接続用ＳＳＩＤと本接続用パスコードを生成する。仮接続用ＳＳＩＤから仮接続用パスコードを生成するための所定の規則は、上述のアプリケーションプログラムにおいて定義されているため、無線通信端末２０と共通の規則を用いて共通の仮接続用パスコードを生成することができる。具体的には例えば、共通のハッシュ関数を用いて仮接続用ＳＳＩＤから仮接続用パスコードが生成される。
【００２１】
切り替え準備が完了すると、無線モジュールは、Ｗｉ−Ｆｉ  Ｄｉｒｅｃｔ完了通知をメインコントローラー１１に送信する（ステップＳ１３５）。当該Ｗｉ−Ｆｉ  Ｄｉｒｅｃｔ完了通知には、本接続用ＳＳＩＤおよび本接続用パスコードが含まれており、メインコントローラー１１はＷｉ−Ｆｉ  Ｄｉｒｅｃｔ完了通知を受信すると、ユーザーＩ／Ｆ部１４に本接続用ＳＳＩＤを表示する（ステップＳ１４０）。ユーザーＩ／Ｆ部１４に本接続用ＳＳＩＤを表示した後、メインコントローラー１１は、無線モジュールに対してシンプルＡＰモードを開始するように通知する（ステップＳ１４５）。
【００２２】
シンプルＡＰモードの開始指示を受けると無線モジュールは、仮接続用ＳＳＩＤをビーコンの情報に含めて送信する（ステップＳ１５０）。無線通信端末２０は、当該ビーコンを受信しビーコンに含まれる仮接続用ＳＳＩＤを取得すると、上述したように印刷装置１０と無線通信端末２０との間で共通化されている所定の規則に従って仮接続用ＳＳＩＤから仮接続用パスコードを生成する（ステップＳ１５５）。なお例えば、アプリケーションプログラムには、仮接続用ＳＳＩＤの生成規則を規定する情報が予め含まれており、無線通信端末２０のコントローラー２８は、印刷装置１０を利用するためのアプリケーションプログラムを実行することにより、印刷装置１０が生成する仮接続用ＳＳＩＤの生成規則を把握可能である。そのため、ＳＳＩＤを含む複数種類のビーコンを受信した場合であっても無線通信端末２０のコントローラー２８は複数のＳＳＩＤの中から印刷装置１０が生成した仮接続用ＳＳＩＤを選択することができる。そして無線通信端末２０は、印刷装置１０が生成した仮接続用ＳＳＩＤから仮接続用パスコードを生成することができる。
続いて、無線通信端末２０は、仮接続用ＳＳＩＤおよび仮接続用パスコードを用いて印刷装置１０と仮接続する（ステップＳ１６０）。印刷装置１０と無線通信端末２０との仮接続が確立すると、無線通信端末２０は印刷装置１０に本接続用ＳＳＩＤおよび本接続用パスコードを要求する（ステップＳ１６５）。
【００２３】
印刷装置１０の無線モジュールは、本接続用ＳＳＩＤおよび本接続用パスコードを無線通信端末２０に送信する（ステップＳ１７０）。本接続用ＳＳＩＤおよび本接続用パスコードは暗号化された状態で送信されるため、第三者に不正に取得される可能性を低減できる。本接続用ＳＳＩＤおよび本接続用パスコードを取得すると無線通信端末２０は、本接続開始依頼を印刷装置１０に送信し（ステップＳ１７５）、無線モジュールは、本接続開始依頼を受信すると応答を送信し（ステップＳ１８０）、無線通信端末２０との仮接続を切断する。続いて無線通信端末２０は、本接続用ＳＳＩＤおよび本接続用パスコードを用いて印刷装置１０と本接続する（ステップＳ１８５）。本接続が確立した後は、無線通信端末２０から印刷装置１０の印刷機能などを使用することが可能となる。
【００２４】
このように、本実施形態によると、無線通信端末２０と印刷装置１０との無線接続を確立する際、印刷装置１０に対して印刷装置１０を状態Ｂに遷移させる操作と、無線通信端末２０に対して印刷装置１０を利用するためのアプリケーションプログラムを起動する操作とをユーザーが行うことにより、ユーザーは印刷装置１０と無線通信端末２０との無線接続を容易に確立させることができる。無線接続を確立させるためにユーザーが無線通信端末２０にパスコードを手動で入力する等の複雑な設定作業を行う必要がないため、ユーザーは容易に二者間の無線接続を確立させることができる。そしてユーザーは、印刷装置１０を利用するためのアプリケーションプログラムを実行する無線通信端末２０を用いて印刷装置１０に対して印刷データを送信し印刷を実行させることなどが可能となる。
【００２５】
また、本実施形態の印刷装置１０は、仮接続の前に仮接続用ＳＳＩＤを送信するが仮接続用パスコードは送信しない。無線通信端末２０は印刷装置１０との間で共通化されている所定の規則に従って仮接続用パスコードを自ら生成し、生成した仮接続用パスコードと印刷装置１０から取得した仮接続用ＳＳＩＤとを用いて仮接続を行う。したがって、上述の所定の規則を把握していない（上述のアプリケーションプログラムを実行していない）別の無線通信端末は仮接続用パスコードを取得できないため、印刷装置１０と仮接続することができない。印刷装置１０と仮接続することができないことにより本接続用ＳＳＩＤおよび本接続用パスコードも取得できないため、別の無線通信端末は印刷装置１０と本接続することもできない。したがって、上述の所定の規則を把握していない別の無線通信端末は印刷装置１０と本接続を確立することができないので、正規のユーザー以外からの意図しない印刷装置１０の利用を防止することができる。
【００２６】
なお、ステップＳ１５０において仮接続用ＳＳＩＤの送信を開始してから、予め決められた所定時間以内に１台も無線通信端末と仮接続が確立されなければ、印刷装置１０は仮接続用ＳＳＩＤの送信を終了する。このため、長期間にわたって仮接続用ＳＳＩＤが送信され続けることがないため、印刷装置１０に対して接続指示操作を行った正規のユーザー以外の第三者からの意図しない印刷装置の利用の可能性を低減することができる。また、当該所定時間以内であっても１台の無線通信端末と仮接続を確立することができれば、印刷装置１０は仮接続用ＳＳＩＤの送信を終了する。このため、いずれかの無線通信端末と仮接続が確立した後も仮接続用ＳＳＩＤが送信され続けることがないため、印刷装置１０に対して接続指示操作を行った正規のユーザー以外の第三者からの意図しない印刷装置の利用の可能性を低減することができる。すなわち、仮に、第三者の無線通信端末がステップＳ１５０で印刷装置１０から送信されたビーコンを受信できる範囲にあり、なおかつ、第三者の無線通信端末において印刷装置１０を利用するためのアプリケーションプログラムが起動されている場合、第三者の無線通信端末と印刷装置１０との本接続が確立してしまう可能性があるが、本実施形態の場合は上述のように長時間にわたって仮接続用ＳＳＩＤを含んだビーコンが送信され続けることがないため、その可能性を低減することができる。
【００２７】
２．他の実施形態
尚、本発明の技術的範囲は、上述した実施例に限定されるものではなく、本発明の要旨を逸脱しない範囲内において種々変更を加え得ることは勿論である。例えば、状態Ｃから状態Ｄに遷移する際に図３のシーケンスが実行されてもよい。
また、無線通信装置は、スキャナー（画像読取装置）であってもよいし、ファクシミリ装置であってもよいし、プロジェクターであってもよい。また、無線通信装置は、スキャン機能やファクシミリ機能等を備えたマルチファンクションプリンターであってもよい。
【符号の説明】
【００２８】
１…無線通信システム、１０…印刷装置、１１…メインコントローラー、１２…通信部、１３…印刷エンジン、１４…ユーザーＩ／Ｆ部、２０…無線通信端末、２１…スピーカー、２２…マイク、２３…キー入力部、２５…通信部、２６…カメラ、２７…タッチパネル、２８…コントローラー
【図１】
2014175892.tif 000003
【図２】
2014175892.tif 000004
【図３】
2014175892.tif 000005